(57)【要約】【課題】プルトップ缶を開口した際に、開口部分に蓋をする方法が確立されていないため開口したプルトップ缶の飲み残した内容物を保管したり、廃棄するのに苦労している。従来提案されている蓋をする方法は、蓋を押圧していないので蓋が浮き、プルトップ缶を倒したとき飲料水がこぼれる欠点がある。【解決手段】プルトップ片に蓋部分を有し、プルトップ片の後端にプルトップ缶の上端部を挟持するタブを形成する。【選択図】      図１
2004269040.tif 000002
【特許請求の範囲】
【請求項１】
軸部材を利用したプルトップ片により、切り溝より開口部材を缶の内部に押し下げて開口する金属製プルトップ缶において、プルトップ片内に開口後の蓋部分を有し、プルトップ片の後端に缶の上端部を挟持するタブを形成したことを特徴とするプルトップ缶の蓋。
【請求項２】
軸部材を利用したプルトップ片により、切り溝より開口部材を缶の内部に押し下げて開口する金属製プルトップ缶において、開口部分を密閉する蓋を有し、軸部材に装着したプルトップ片の先端をコ字形に曲げて軸部材より突出した補助部材の先端を包みプルトップ片を持ち上げて補助部材の反対側を押し下げることにより開口部材を押し下げて開口し、プルトップ片の後端にタブを設けてプルトップ缶の上端部を挟持することを特徴とするプルトップ缶の蓋。
【発明の詳細な説明】
【０００１】
【発明の属する技術分野】
本発明は、飲料物を封入するプルトップ缶を開口後、開口部分を密閉できるプルトップ缶の蓋に関している。
【０００２】
【従来の技術】
ビール、炭酸飲料、ジュース等を封入した飲料水の缶においては、缶の上部の切り溝に沿って設けられた開口部材を、プルトップ片を押し上げることにより缶内に押し込み、飲み口を開口するアルミ製やスチール製のプルトップ缶が多い。
缶内に押し込まれた開口部材は、押し込まれた位置に留まって復元しないので、飲み口は開口されたままの状態である。しかし、開口した缶の中身を一度に飲みきれない場合も多く、こぼれたり、ほこりや虫が入ったり、炭酸が抜けたり、蒸発したりするため、別途、開口部の防御用として専用のキャップが市販されている。
【０００３】
【発明が解決しようとする課題】
従来のプルトップ缶は引き上げ部が缶の内側にあるため、開缶のときに開けずらく、爪を痛める等の欠点があった。また、プルトップ缶を開口した際に、開口部分に蓋をする方法が確立されていないため開口したプルトップ缶の飲み残した内容物を保管したり、廃棄するのに苦労している。開口部分を密閉しないと、内容物がこぼれたり、蒸発したり、変質したりする。しかし、従来提案されている蓋をする方法は、開口部分を塞ぐ蓋をはめ込むが、押圧してないので蓋が浮き、プルトップ缶を倒したとき飲料水はこぼれる欠点がある。プルトップ缶の開口部分を密閉するには、蓋を押圧した状態で開口部に密着させる必要がある。そこで、本発明においては、開缶が容易で、プルトップ缶の開口部に蓋を密着させる方法を提案しようとするものである。
【０００４】
【課題を解決するための手段】
請求項１に記載のプルトップ缶の蓋においては、プルトップ缶の上部中央に軸部材としてリベットでプルトップ片を止めている。プルトップ片の先端はプルトップ缶の上部に付けてある切り溝から開口部材を切り離して缶の内部に開口部材の先端を残して押し下げて開口するために使用される。従来のプルトップ缶においては一度開口すると開口部分を塞ぐことができなかったが、本発明においてはプルトップ片が蓋の役割をするように、プルトップ片の下部がテーパーを付けた蓋になるように形成してある。プルトップ片は軸部材を支点として回転自在になっていて、プルトップ片を開口部分の上に来るように回転し、プルトップ片の後端に設けたタブを缶の上端部にはめ込むと、タブは缶の上端部を挟持し、開口部分に嵌合した蓋は開口部分を完全に塞ぎ、タブのバネ圧の作用で密着性を維持するのでプルトップ缶を倒してもプルトップ缶の中の残液が流出や漏出することがない。このように、本発明では指を当てる部分を缶の外側に出すことにより、開缶の際の問題を解決し、缶を片手に持って、片手だけで開缶することも可能になっている。
【０００５】
請求項２に記載のプルトップ缶の蓋においては、軸部材にリベットやビスを利用し、開口部材の先端とプルトップ片の先端を固定する方法である。開口部材の周囲には切り溝が設けられ、少しの圧力で開口部材を缶の内部に押し下げることができるように構成されている。開口部材の上部にプルトップ片が装着されている。プルトップ片の下部は開口部材の形状に合わせた蓋になっていて、プルトップ片の先端はコ字形に曲げられている。プルトップ片の先端の湾曲した部分が補助部材の先端の下に入り、プルトップ片を持ち上げると補助部材の先端を上方に引っ張り、軸部材を支点として根元の開口部材を補助部材の反対側が押し下げる方法である。開口部分に蓋をする場合は、プルトップ片を開口部分に合わせて蓋を押し込み、プルトップ片の後端に設けられたタブのバネ圧を利用してプルトップ缶の上端部を挟持すると開口部分に蓋を密閉状態で維持することができる。
【０００６】
【発明の実施の形態】
発明の実施の形態を実施例にもとづき図面を参照して説明する。
図１は請求項１に記載のプルトップ缶の蓋を示す斜視図である。プルトップ缶１の上端部２を軸部材３で回転自在に固定されたプルトップ片４のタブ５がバネ圧を利用して挟着している。プルトップ片４の中央は凹んだ形状で、プルトップ片４の反対側に設けた切り溝９で切り取られる開口部分を塞ぐ蓋６になっている。タブ５をプルトップ缶１の上端部２から外してプルトップ片４を、軸部材３を支点として後部を持ち上げると、プルトップ片４の先端７が開口部材８を押して切り溝９から切り離し、開口部材８を切り溝９の設けられていない軸部材３の手前から下方へ折り曲げられる。飲み残した飲料水を保管するには、プルトップ片４を１８０°プルトップ缶１の上端部２に沿って回転させ、この開口部分をプルトップ片４のテーパーの付いた蓋６で塞ぐことにより開口部分を密閉できる。開口部分に蓋６を嵌合した後、タブ５をプルトップ缶１の上端部２に掛けて固定するので、蓋６が浮くことがなくなる。
【０００７】
図２はプルトップ缶を開口する前の状態を示す側面図である。プルトップ缶１の上端部２にプルトップ片４の後端に設けたタブ５を掛けた状態を示している。
この状態は、側面より見ると、開口部分を開口する以前の状態であり、また、開口後に開口部分をプルトップ片４の蓋６で密閉した状態でもある。
【０００８】
図３はプルトップ缶を開口した状態を示す側面図である。プルトップ片４のタブ５をプルトップ缶１の上端部２から外し、後部を上に持ち上げた状態を示している。プルトップ片４は下部が蓋６となっていて斜度が付いている。このため、プルトップ缶１の開口部分への嵌合が容易である。
【０００９】
図４はプルトップ缶を側面より見た断面図である。プルトップ缶１の上面の軸部材３で固定されたプルトップ片４を持ち上げることによりプルトップ片４の先端７で開口部材８を切り溝９より切り離して下方へ折り曲げ、プルトップ片４を軸部材３を支点として１８０度回転してプルトップ片４に形成されている蓋６を開口部分にはめ込み、プルトップ片４の後端タブ５をプルトップ缶１の上端部２にタブ５のバネ圧により掛けた状態を示している。
【００１０】
図５は請求項２に記載のプルトップ缶の機構を示し、側面より見た断面図である。プルトップ缶１の上部の軸部材３に固定されたプルトップ片４の先端７はコ字形に曲げられている。プルトップ片４の先端７の湾曲した部分が補助部材１０の先端の下に入り、プルトップ片４を持ち上げると軸部材３を支点として補助部材１０の反対側を押し下げ、開口部材８の根元を残して押し下げることができる。開口部分に蓋をする場合は、プルトップ片４を下げるとプルトップ片４に形成された蓋６が開口部分を塞ぎ、プルトップ片４の後端に設けられたタブ５のバネ圧を利用してプルトップ缶１の上端部２を挟持すると開口部分に蓋６を密閉状態で維持することができる。この方法では、プルトップ片４を回転させることなく開口部分を密閉することができる。
【００１１】
【発明の効果】
開口を片手で容易にできる。
【００１２】
プルトップ片を一度持ち上げると、浮き上がりやすくなり、元に戻して開口部分の蓋に使用することは困難である。本発明は従来のプルトップ缶へ蓋をする方法と異なり、プルトップ片にタブを設けることで確実に蓋をした状態に維持できるので飲み残しのあるプルトップ缶を一時的に保管したり、乗り物の振動でこぼれたり、倒してこぼしたりすることから防御でき、製造も簡単である。
【図面の簡単な説明】
【図１】請求項１に記載のプルトップ缶の蓋を示す斜視図である。
【図２】プルトップ缶を開口する前の状態を示す側面図である。
【図３】プルトップ缶を開口した状態を示す側面図である。
【図４】プルトップ缶を側面より見た断面図である。
【図５】請求項２に記載のプルトップ缶の機構を示し、側面より見た断面図である。
【符号の説明】
１  プルトップ缶
２  上端部
３  軸部材
４  プルトップ片
５  タブ
６  蓋
７  先端
８  開口部材
９  切り溝
１０  補助部材
【図１】
2004269040.tif 000003
【図２】
2004269040.tif 000004
【図３】
2004269040.tif 000005
【図４】
2004269040.tif 000006
【図５】
2004269040.tif 000007